(57)【要約】【課題】  ２ｃｈステレオ記録モードから４ｃｈサラウンド記録モードへの切り替え等、記録モードの切り替えが容易になる。【解決手段】  マイクロフォン１２の回転方向に応じて記録モードを切り替え、マイクロフォン１１及びマイクロフォン１２で取得した音声を、切り替えられた記録モードで記録手段に記録する。【選択図】  図７
2006135503.tif 000002
【特許請求の範囲】
【請求項１】
複数のマイクロフォンを有する音声記録装置であって、
第１のマイクロフォンと、
装置本体に対する回転機構を備えた第２のマイクロフォンと、
前記第１及び第２のマイクロフォンで取得した音声を複数の記録モードで記録可能な記録手段と、
前記第２マイクロフォンの回転方向に応じて、前記記録モードを切り替える切替手段と、を有することを特徴とする音声記録装置。
【請求項２】
前記第２マイクロフォンの回転方向を検出する検出手段をさらに有し、
前記切替手段は、前記検出手段の検出結果に基づいて、２ｃｈ記録モード及び４ｃｈ記録モードの何れか一方に切り替えることを特徴とする請求項１に記載の音声記録装置。
【請求項３】
前記検知手段により、前記第２マイクロフォンが前記第１マイクに対して後方を向いていることを検知した場合、前記切替手段は、４ｃｈ記録モードに切り替えることと特徴とする請求項２に記載の音声記録装置。
【請求項４】
前記検知手段により、前記第２マイクロフォンが前記第１マイクに対して前方を向いていることを検知した場合、前記切替手段は、２ｃｈ記録モードに切り替えることと特徴とする請求項２に記載の音声記録装置。
【請求項５】
前記第２のマイクロフォンを前後にスライドするスライド機構をさらに有し、
前記切替手段により２ｃｈ記録モードに切り替えられている場合、前記記録手段は、前記スライド機構上の第２マイクロフォンの位置に応じて前記２ｃｈ記録を行うことと特徴とする請求項４に記載の音声記録装置。
【請求項６】
装置本体に内蔵された第３のマイクロフォンをさらに有し、
前記第２のマイクロフォンが本体に装着されていない場合は、前記第３のマイクロフォンでの音声取得を行い、前記第２のマイクロフォンが本体に装着されている場合は、前記第３のマイクロフォンでの音声取得を行わないことを特徴とする請求項１〜５のいずれかに記載の音声記録装置。
【請求項７】
前記第１のマイクロフォンの方向にある被写体を撮像して画像を取得する撮像手段をさらに有し、
前記記録手段は、前記音声とともに前記画像を記録することを特徴とする請求項１〜６のいずれかに記載の音声記録装置。
【請求項８】
複数のマイクロフォンを有する音声記録装置であって、
第１のマイクロフォンと、
第２のマイクロフォンと、
前記第２のマイクロフォンを前後にスライドするスライド機構と、
前記第１及び第２のマイクロフォンで取得した音声を記録する記録手段と、を有し、
前記記録手段は、前記スライド機構上の第２マイクロフォンの位置に応じて指向性を変化させ音声の記録を行うことを特徴とする音声記録装置。
【請求項９】
第１のマイクロフォンと、装置本体に対する回転機構を備えた第２のマイクロフォンと、を有する音声記録装置の音声記録方法であって、
前記第２マイクロフォンの回転方向に応じて記録モードを切り替え、前記第１及び第２のマイクロフォンで取得した音声を、前記切り替えられた記録モードで記録手段に記録することを特徴とする音声記録装置の音声記録方法。
【請求項１０】
第１のマイクロフォンと、第２のマイクロフォンと、前記第２のマイクロフォンを前後にスライドするスライド機構と、を有する音声記録装置の音声記録方法であって、
前記第１及び第２のマイクロフォンで取得した音声を、前記スライド機構上の第２マイクロフォンの位置に応じて指向性を変化させ、記録手段に記録することを特徴とする音声記録装置の音声記録方法。
【発明の詳細な説明】
【技術分野】
【０００１】
本発明は複数のマイクロフォンを有する音声記録装置及び音声記録装置の音声記録方法に関するものである。
【背景技術】
【０００２】
複数のマイクロフォンを有するデジタルビデオカメラが知られている（特許文献１参照）。この種のビデオカメラは、複数のマイクロフォンを用いて前方向、横方向の指向性を高め、ズームマイクなどの仕様用途が考えられている。また同じように前後左右にマイクロフォンを有し、後方音を録音できるビデオカメラもある（特許文献２参照）。
【特許文献１】特開平９−８４１７４号公報
【特許文献２】特開２００３−１８５４３号公報
【発明の開示】
【発明が解決しようとする課題】
【０００３】
撮像機器、動画再生機器はいっそうの高画質化、高音質化が進んでいる。音響は従来のステレオ２ｃｈから多チャンネルサラウンドが主流になりつつある。現行のデジタルビデオカメラは一般的にステレオ２ｃｈ録音であり、前方左右の音を表現できるのみで前後方向の音の広がりや移動を表現するのは困難である。この前後左右の音を再現すること、いわゆるサラウンド録音装置が要求されている。
【０００４】
従来の技術においては複数のマイクロフォンによりサラウンドを実現しているが、現行のステレオ２ｃｈとの切り替えや、ステレオ２ｃｈ記録時の後方マイクの使用法については課題が残る。つまりこれらサラウンド記録機器には各マイクロフォンの有効利用、ならびに従来の２ｃｈ記録モードと多チャンネルサラウンド記録モードの切り替えを容易に行えることが重要になる。
【０００５】
本発明は上述した課題を解決するためのものであり、記録モードの切り替えの容易化とマイクロフォンの有効活用が可能な音声記録装置及び音声記録装置の音声記録方法を提供することを目的とする。
【課題を解決するための手段】
【０００６】
上記目的を達成するために、本発明の音声記録装置は、複数のマイクロフォンを有する音声記録装置であって、第１のマイクロフォンと、装置本体に対する回転機構を備えた第２のマイクロフォンと、前記第１及び第２のマイクロフォンで取得した音声を複数の記録モードで記録可能な記録手段と、前記第２マイクロフォンの回転方向に応じて、前記記録モードを切り替える切替手段と、を有することを特徴とする。
【０００７】
本発明の音声記録装置は、複数のマイクロフォンを有する音声記録装置であって、第１のマイクロフォンと、第２のマイクロフォンと、前記第２のマイクロフォンを前後にスライドするスライド機構と、前記第１及び第２のマイクロフォンで取得した音声を記録する記録手段と、を有し、前記記録手段は、前記スライド機構上の第２マイクロフォンの位置に応じて指向性を変化させ音声の記録を行うことを特徴とする。
【０００８】
本発明の音声記録装置の音声記録方法は、第１のマイクロフォンと、装置本体に対する回転機構を備えた第２のマイクロフォンと、を有する音声記録装置の音声記録方法であって、前記第２マイクロフォンの回転方向に応じて記録モードを切り替え、前記第１及び第２のマイクロフォンで取得した音声を、前記切り替えられた記録モードで記録手段に記録することを特徴とする。
【０００９】
本発明の音声記録装置の音声記録方法は、第１のマイクロフォンと、第２のマイクロフォンと、前記第２のマイクロフォンを前後にスライドするスライド機構と、を有する音声記録装置の音声記録方法であって、前記第１及び第２のマイクロフォンで取得した音声を、前記スライド機構上の第２マイクロフォンの位置に応じて指向性を変化させ、記録手段に記録することを特徴とする。
【発明の効果】
【００１０】
本発明によれば、例えば、２ｃｈステレオ記録モードから４ｃｈサラウンド記録モードへの切り替え等、記録モードの切り替えが容易になる。
【００１１】
また、あるマイクロフォンを他のマイクロフォンの指向性を高めるために補助的に動作させることができ、マイクロフォンの有効活用ができる。
【発明を実施するための最良の形態】
【００１２】
以下、図面を使用して本発明を実施するための最良の形態を説明する。
【００１３】
本実施形態では、本発明に関る音声記録装置として、ＤＶ規格に対応したビデオカメラを例に説明する。この装置は、外部マイクロフォン等を装備できる外部入力インターフェースを有するものに接続して使用する。
【００１４】
図１は本発明を適用した集音部材の外観図、図４は図１の集音部材を使用して取得した音声を記録する音声記録装置としてのビデオカメラの外観図である。図１において、１１、１２ともにステレオ２ｃｈマイクロフォンである。すなわち本実施形態の音声記録装置は４ｃｈ収音が可能となっている。１１は前方向専用マイクロフォンである。１２は可動マイクロフォンであり、回転機構１３ならびにスライド機構１４を持つ。回転機構１３によりマイクロフォン１２は前方向、後方向を任意に選択することができる。またスライド機構１４によりマイクロフォン１２を前後に移動させることができる。この音声記録装置は外部接続端子１５を有し、図２にある記録装置２４が有するアクセサリーシュー２２に装着することで使用が可能となる（図３参照）。
【００１５】
図６は本実施形態の音声記録装置２４の内部構成回路である。撮像部２１はレンズやＣＣＤなどの撮像素子などなから成っており、レンズにより撮像面に結像された被写体を撮像し、電気信号として出力する。内蔵マイクロフォン２３は無指向性のステレオマイクロフォンであり一般的なビデオカメラに標準で搭載されているものである。
【００１６】
外部マイクロフォン１１、１２は内蔵マイクロフォン２３に比べ指向性が高く、マイクロフォンとしての性能も高い。本実施形態の音声記録装置へ装着の有無は、アクセサリーシュー２２に接続されたかどうかを検出回路６２で検出することにより判別する。このとき検出回路６２からマイコン６８へ送られる命令により切り換えスイッチ６４ａが動作する。
【００１７】
さらに本実施形態の音声記録装置が有する回転機構１３から送られるマイクロフォン方向信号を検出回路６７が検出することで方向判別し、マイコン６８が記録方式を切り換えるスイッチ６４ｂに信号を送る。尚、一般の外部マイクロフォンが装着された場合は検出回路６２が判別し、通常の記録モードで録音される。検出回路６７はカメラのスライド位置も検出することもできる。
【００１８】
上記の映像信号と音声信号を処理部６１で同期させ、記録部６９に送られる。記録部６９は主に磁気ヘッド、磁気テープから成り、ヘリカルスキャン磁気記録方式で磁気テープに磁気記録される。記録フォーマットはＤＶ規格に準じており図８、図９のようなデータエリア８２に記録される。磁気テープ８１にはサブコード８３、ビデオ８４、オーディオ８５ａ・８５ｂ、トラック情報８６などが記録され、１０トラックで１フレーム８９を形成している（ＮＴＳＣの場合）。オーディオに関しては、前半５トラック８７を音声記録ＣＨ１、後半５トラック８８を音声記録ＣＨ２として使用している。ステレオ２ｃｈ記録の場合はＣＨ１にＬ信号を、ＣＨ２にＲ信号をいれてステレオ録音している。アフターレコーディングをする場合はＣＨ１にＬ、Ｒの信号をともに記録し、ＣＨ２を後に使用する（図９参照）。
【００１９】
図７は、本実施形態の音声記録動作を示すフローチャートであり、マイコン６８によりその手順は制御されている。
【００２０】
まず記録装置２４はアクセサリーシュー２２に外部機器が接続されているかどうかを外部マイク検出回路６２により検出する（Ｓ１）。外部音声記録装置のない場合は、通常の内蔵マイクロフォン２３が動作するステレオ２ｃｈ記録モード６３に切り替わる（Ｓ６）。
【００２１】
本実施形態の音声記録装置を装着した場合、マイク方向検出回路６７が回転機構１３の状態を検出し、マイクロフォン１２の方向を判別する（Ｓ２）。ここで図４はマイクロフォン１２を後方に向けた図であり、可動例として４１のような動きが挙げられる。記録装置２４のマイク方向検出回路６７がマイクロフォン１２が後方を向いていると検出した場合（Ｓ２）、記録装置内において４ｃｈサラウンド記録用回路６５に切り替わる（Ｓ５）。マイクロフォン１１は前方音用として、マイクロフォン１２は後方音用として動作し、前方２ｃｈならびに後方２ｃｈのサラウンド録音が可能となる（Ｓ７）。この時、図９にあるＬ１、Ｒ１に前方音を、Ｌ２、Ｒ２に後方音を記録する。
【００２２】
マイク方向検出回路６７においてマイクロフォン１２が前方を向いていることを検出した場合（Ｓ２）、記録方式はステレオ２ｃｈ記録モード６６となる。この時、マイクロフォン１２はマイクロフォン１１の指向性を高めるために機能する。
【００２３】
マイクロフォン１２はスライド機構１４により前後にスライドさせることができ、第２マイク方向検出回路６７を使用してスライド位置を検出する（Ｓ３）。図５の５１はスライドの動きを示している。ここでのマイクロフォン１２はマイクロフォン１１の補助的な役割をする。マイクロフォン１１に対するマイクロフォン１２の位置によって指向性が変化し、任意の指向性を得ることができる。
【００２４】
ステップＳ３で検出し取得したスライド位置に応じた２ｃｈステレオ記録を行う（Ｓ４）。これにより内蔵マイクロフォンによるステレオ２ｃｈよりも優れた指向性重視ステレオ２ｃｈ記録が可能となる。この時は図８にある記録方式に従う。
【００２５】
以上説明したように、本実施形態によれば、マイクロフォン１２は回転機構により後方に向けることができる。この場合、マイクロフォン１１は前方音を、マイクロフォン１２は後方音を録音し、サラウンド録音モードが可能となる。
【００２６】
また、マイクロフォン１２を後方に向けたことを検出した場合、２ｃｈステレオ記録モードから４ｃｈサラウンド記録モードに自動で切り換える。これにより、特別な設定変更を必要とせず、マイクロフォン１２の方向にのみ制御される。
【００２７】
また、マイクロフォン１２を前方に向けている場合、マイクロフォン１２はスライド機構により、マイクロフォン１１に対して任意の位置に配置させることができる。このときマイクロフォン１２はマイクロフォン１１の指向性を高める補助的な役割をすることができる。
【図面の簡単な説明】
【００２８】
【図１】外部マイクロフォンの外観図
【図２】外部マイクロフォンの装着可能な音声記録装置の外観図
【図３】外部マイクロフォンを装着した音声記録装置の外観図
【図４】第２マイクロフォン回転機構を示す図
【図５】第２マイクロフォンスライド機構を示す図
【図６】音声記録装置の内部構成を示す図
【図７】音声記録動作時のフロー図
【図８】ＤＶ規格の記録フォーマット（２ｃｈ時）
【図９】ＤＶ規格の記録フォーマット（４ｃｈ時）
【符号の説明】
【００２９】
１１  第１マイクロフォン
１２  第２マイクロフォン
１３  マイクロフォン回転機構
１４  マイクロフォンスライド機構
１５  外部接続端子
２１  撮像部
２２  アクセサリーシュー
２３  内蔵マイクロフォン
２４  記録装置
４１  回転方向
５１  スライド方向
６１  画像・音声処理部
６２  外部マイクロフォン検出回路
６３  ステレオ２ｃｈ記録回路
６４ａ  切り換えスイッチ（マイクロフォン選択用）
６４ｂ  切り換えスイッチ（記録方式選択用）
６５  サラウンド４ｃｈ記録回路
６６  指向性重視ステレオ２ｃｈ記録回路
６７  第２マイクロフォン方向検出回路
６８  制御マイコン
６９  記録部
８１  記録テープ
８２  データエリア
８３  サブコード記録部
８４  ビデオ記録部
８５ａ  オーディオ記録部（２ＣＨ）
８５ｂ  オーディオ記録部（４ＣＨ）
８６  インサートトラック情報記録部
８７  音声記録ＣＨ１
８８  音声記録ＣＨ２
８９  １フレーム幅
【図１】
2006135503.tif 000003
【図２】
2006135503.tif 000004
【図３】
2006135503.tif 000005
【図４】
2006135503.tif 000006
【図５】
2006135503.tif 000007
【図６】
2006135503.tif 000008
【図７】
2006135503.tif 000009
【図８】
2006135503.tif 000010
【図９】
2006135503.tif 000011